(57)【要約】【課題】簡単に暗記学習を始めることができる暗記支援プログラム、および記録媒体を提供する。【解決手段】電子計算機に、暗記対象を撮影して得られた実写暗記対象画像を記録する実写暗記対象画像記録機能と、実写暗記対象画像記録機能が記録した実写暗記対象画像の中の所定領域を不可視化する不可視化機能と、不可視化機能が不可視化した領域を、所定の入力情報が入力された場合に可視化する可視化機能とを付与する暗記支援プログラム。暗記支援プログラムはさらに、電子計算機に、可視化機能が可視化した後に、所定の指示情報に対応させて実写暗記対象画像を分類して記録するよう実写暗記対象画像記録機能に指示する分類指示機能と、分類指示機能で分類された実写暗記対象画像の中の所定の実写暗記対象画像を、所定の周期で表示するよう管理するスケジュール機能とを付与する。【選択図】図１
2013171084.tif 000002
【特許請求の範囲】
【請求項１】
電子計算機に、
暗記対象を撮影して得られた実写暗記対象画像を記録する実写暗記対象画像記録機能と、
該実写暗記対象画像記録機能が記録した実写暗記対象画像の中の所定領域を不可視化する不可視化機能と、
該不可視化機能が不可視化した領域を、所定の入力情報が入力された場合に可視化する可視化機能とを付与する
前記電子計算機にインストールされて、暗記を支援する暗記支援プログラム。
【請求項２】
前記電子計算機に、前記可視化機能が可視化した後に、所定の指示情報に対応させて前記実写暗記対象画像を分類して記録するよう前記実写暗記対象画像記録機能に指示する分類指示機能と、
該分類指示機能で分類された前記実写暗記対象画像の中の所定の実写暗記対象画像を、所定の周期で表示するよう管理するスケジュール機能とを付与する
請求項１に記載の暗記支援プログラム。
【請求項３】
前記不可視化機能が不可視化する所定領域は、ユーザに指定された領域である
請求項１または請求項２に記載の暗記支援プログラム。
【請求項４】
前記不可視化機能は、前記実写暗記対象画像からなる第１のレイヤーの上に、不可視画像を有する第２のレイヤーを、該不可視画像が前記第１のレイヤーの所定領域に対応して重ねることで前記第１のレイヤーの所定領域を不可視化する
請求項１〜３のいずれか１つに記載の暗記支援プログラム。
【請求項５】
前記不可視化機能は、前記実写暗記対象画像からなる第１の画像を、該第１の画像と同じ実写暗記対象画像の中の所定領域が不可視化された不可視領域を有する第２の画像に置き換えることで不可視化する
請求項１〜３のいずれか１つに記載の暗記支援プログラム。
【請求項６】
前記電子計算機に、暗記対象に関連する暗記対象関連画像を、同暗記対象と関連付けて記録する暗記対象関連画像記録機能を付与する
請求項１〜５のいずれか１つに記載の暗記支援プログラム。
【請求項７】
前記電子計算機に、所望の実写暗記対象画像をしおり登録するしおり登録機能と、
該しおり登録機能がしおり登録した所望の実写暗記対象画像を読み出す読み出し機能とを付与する
請求項１〜６のいずれか１つに記載の暗記支援プログラム。
【請求項８】
電子計算機に、
暗記対象を撮影して得られた実写暗記対象画像を記録する実写暗記対象画像記録機能と、
該実写暗記対象画像記録機能が記録した実写暗記対象画像の中の所定領域を不可視化する不可視化機能と、
該不可視化機能が不可視化した領域を、所定の入力情報が入力された場合に可視化する可視化機能とを付与する暗記支援プログラムを記録した電子計算機読み取り可能な記録媒体。
【発明の詳細な説明】
【技術分野】
【０００１】
本発明は暗記支援プログラムおよび記録媒体に関する。詳しくは、例えば英単語の暗記を支援する暗記支援プログラムおよび記録媒体に係るものである。
【背景技術】
【０００２】
例えば、英単語の暗記法として、小型のカードの表と裏に、スペルと訳を別々に書いて暗記したり、赤や緑などのチェック用のペンやマーカー、専用テープなどで暗記したい部分に色を付け、赤や緑のシートを用いて暗記したい部分を隠しながら暗記したりする方法がある。
【０００３】
また、電子手帳などの文書処理装置は、入力した英単語のスペルと訳から、暗記対象を隠蔽した穴埋め問題を作成する場合、暗記対象を数字やマークに置き換えた穴埋め問題を作成し、問題と解答を記録していた。
【０００４】
また、例えば、特許文献１には、文字情報、記号情報からなる文書および各指示情報を入力する入力手段と、入力された文書を記憶する文書記憶手段と、入力された文書を表示する表示手段と、表示された文書中から暗記学習対象とする文字列の領域を指定する領域指定手段と、文書記憶手段に記憶された文書から指定された領域の文字列を検索し予め設定した特定の記号情報の記号列と置換して表示するよう表示手段を制御する第１置換手段と、置換した文字列を位置情報と対応して記憶する置換情報記憶手段と、置換された記号列の一つを指定する置換指定手段と、指定された記号列を置換情報記憶手段に記憶された文字列と置換して表示するよう表示手段を制御する第２置換手段とを備える暗記学習支援装置が記載されている。
【先行技術文献】
【特許文献】
【０００５】
【特許文献１】特開平１０−１２３９２４号公報
【発明の概要】
【発明が解決しようとする課題】
【０００６】
しかしながら、特許文献１に記載の暗記学習支援装置では、暗記対象となる文書をユーザが、わざわざキーボードで入力しなければならず、暗記学習の前段階である穴埋め問題作成に時間がかかっていた。
【０００７】
本発明は、以上の点に鑑みて創案されたものであり、簡単に暗記学習を始めることができる暗記支援プログラム、およびこのような暗記支援プログラムを記録した電子計算機読み取り可能な記録媒体を提供することを目的とする。
【課題を解決するための手段】
【０００８】
上記の目的を達成するために、本発明の暗記支援プログラムは、電子計算機に、暗記対象を撮影して得られた実写暗記対象画像を記録する実写暗記対象画像記録機能と、該実写暗記対象画像記録機能が記録した実写暗記対象画像の中の所定領域を不可視化する不可視化機能と、該不可視化機能が不可視化した領域を、所定の入力情報が入力された場合に可視化する可視化機能とを付与する前記電子計算機にインストールされて、暗記を支援するものである。
【０００９】
また、上記の目的を達成するために、本発明の記録媒体は、電子計算機に、暗記対象を撮影して得られた実写暗記対象画像を記録する実写暗記対象画像記録機能と、該実写暗記対象画像記録機能が記録した実写暗記対象画像の中の所定領域を不可視化する不可視化機能と、該不可視化機能が不可視化した領域を、所定の入力情報が入力された場合に可視化する可視化機能とを付与する暗記支援プログラムを記録した電子計算機読み取り可能なものである。
【００１０】
ここで、実写暗記対象画像記録機能が記録した実写暗記対象画像の中の所定領域を不可視化する不可視化機能によって、暗記対象をわざわざキーボードなどで入力することなく、既存の文字などをそのまま暗記対象として暗記学習に利用することができる。
【００１１】
また、本発明の暗記支援プログラムは、電子計算機に、可視化機能が可視化した後に、所定の指示情報に対応させて実写暗記対象画像を分類して記録するよう実写暗記対象画像記録機能に指示する分類指示機能と、分類指示機能で分類された実写暗記対象画像の中の所定の実写暗記対象画像を、所定の周期で表示するよう管理するスケジュール機能とを付与するものとすることができる。
【００１２】
この場合、例えば暗記レベルに対応させて実写暗記対象画像を分類し、憶えかけの暗記対象を有する実写暗記対象画像を周期的に表示できるので、暗記学習に大切な「反復」を効率良く行なうことができる。
【００１３】
また、本発明の暗記支援プログラムにおいて、不可視化機能が不可視化する所定領域は、ユーザに指定された領域であるものとする場合、ユーザは、実写暗記対象画像の中の所望の文字や図形などを暗記対象として指定することができる。
【００１４】
また、本発明の暗記支援プログラムにおいて、不可視化機能は、実写暗記対象画像からなる第１のレイヤーの上に、不可視画像を有する第２のレイヤーを、不可視画像が第１のレイヤーの所定領域に対応して重ねることで第１のレイヤーの所定領域を不可視化するものとすることができる。
【００１５】
この場合、第２のレイヤーは、必要最低限の画像、すなわち不可視画像のみを有していればよいので、実写暗記対象画像中に不可視画像を加えることに比べて容量を低減することができる。
【００１６】
また、本発明の暗記支援プログラムにおいて、不可視化機能は、実写暗記対象画像からなる第１の画像を、第１の画像と同じ実写暗記対象画像の中の所定領域が不可視化された不可視領域を有する第２の画像に置き換えることで不可視化するものとすることができる。
【００１７】
この場合、第１のレイヤーと第２のレイヤーとの位置合わせ制御が不要であり、処理速度が遅くても不可視化することができる。
【００１８】
また、本発明の暗記支援プログラムは、電子計算機に、暗記対象に関連する暗記対象関連画像を、暗記対象と関連付けて記録する暗記対象関連画像記録機能を付与するものとすることができる。
【００１９】
この場合、参考書などをまたいで関連したことを調べたときに、まとめることができる。
【００２０】
また、本発明の暗記支援プログラムは、電子計算機に、所望の実写暗記対象画像をしおり登録するしおり登録機能と、しおり登録機能がしおり登録した所望の実写暗記対象画像を読み出す読み出し機能とを付与するものとすることができる。
【００２１】
この場合、複数の実写暗記対象画像があり、順番に暗記学習を行なっている途中で暗記学習を切り上げる時に、暗記学習途中の実写暗記対象画像をしおり登録しておいて、次回の暗記学習を開始する際にしおり登録した実写暗記対象画像から再び始めることができる。
【発明の効果】
【００２２】
本発明に係る暗記支援プログラムによって、簡単に暗記学習を始めることができる。
本発明に係る記録媒体によって、簡単に暗記学習を始めることができる。
【図面の簡単な説明】
【００２３】
【図１】本発明の暗記支援プログラムがインストールされた電子携帯機器の概略構成図である。
【図２Ａ】本発明の暗記支援プログラムがインストールされた電子携帯機器の画面の一例を示す概略図である。
【図２Ｂ】本発明の暗記支援プログラムがインストールされた電子携帯機器の画面にタッチして不可視化領域を可視化する操作を説明する概略図である。
【図３】実写暗記対象画像が暗記度合いに応じて分類された様子を示す概略図である。
【図４】本発明の暗記支援プログラムがインストールされた電子携帯機器の画面にタッチして暗記対象関連画像を表示させる操作を説明する概略図である。
【図５】本発明の暗記支援プログラムがインストールされた電子携帯機器の、しおり登録をするときの画面の一例を説明する概略図である。
【発明を実施するための形態】
【００２４】
以下、本発明の実施の形態について図面を参照しながら説明し、本発明の理解に供する。
図１は、本発明の暗記支援プログラムがインストールされた電子携帯機器の概略構成図である。
【００２５】
本発明の暗記支援プログラムがインストールされた電子携帯機器（電子計算機の一例である。）１は、暗記対象を撮影して得られた実写暗記対象画像５を記録する実写暗記対象画像データベース（実写暗記対象画像記録手段）２を備える。
【００２６】
ここで、暗記対象の撮影に用いるカメラなどの撮影手段は、電子携帯機器に備わっていてもよいし、別体のカメラであってもよい。
また、電子携帯機器１は、カメラなどの撮影手段を備えているものとする。
【００２７】
また、実写暗記対象画像５としては例えば、市販の英単語帳を撮影して得られた画像、ユーザ自身が作成したノートを撮影して得られた画像が挙げられ、音声入りの動画も含まれる。
【００２８】
また、本発明の暗記支援プログラムがインストールされた電子携帯機器１は、実写暗記対象画像データベース２が記録した実写暗記対象画像５の中の所定領域を不可視化する不可視化手段３を備える。
【００２９】
また、不可視化手段３が不可視化する所定領域は、ユーザがタッチペンなどで指定した領域である。
【００３０】
また、本発明の暗記支援プログラムがインストールされた電子携帯機器１は、不可視化手段３が不可視化した領域を、所定の入力情報（例えば指による画面へのタッチ）が入力された場合に可視化する可視化手段４を備える。
【００３１】
また、本発明の暗記支援プログラムがインストールされた電子携帯機器１は、可視化手段４が可視化した後に、所定の指示情報（例えば、画面を指でこする回数）に対応させて実写暗記対象画像５を分類して記録するよう実写暗記対象画像データベース２に指示する分類指示手段６を備える。
【００３２】
また、本発明の暗記支援プログラムがインストールされた電子携帯機器１は、分類指示手段６で分類された実写暗記対象画像５の中の所定の実写暗記対象画像を、所定の周期で表示するよう管理するスケジュール手段７を備える。
【００３３】
また、本発明の暗記支援プログラムがインストールされた電子携帯機器１は、暗記対象に関連する暗記対象関連画像を、暗記対象と関連付けて記録する暗記対象関連画像データベース８を備える。
【００３４】
また、本発明の暗記支援プログラムがインストールされた電子携帯機器１は、所望の実写暗記対象画像５をしおり登録するしおり登録手段９と、しおり登録手段９がしおり登録した所望の実写暗記対象画像５を読み出す読み出し手段１０を備える。
【００３５】
ここで、本発明の暗記支援プログラムが電子計算機に、暗記対象を撮影して得られた実写暗記対象画像を記録する実写暗記対象画像記録機能と、実写暗記対象画像記録機能が記録した実写暗記対象画像の中の所定領域を不可視化する不可視化機能と、不可視化機能が不可視化した領域を、所定の入力情報が入力された場合に可視化する可視化機能とを付与するのであれば、すなわち、本発明の暗記支援プログラムがインストールされた電子計算機が、暗記対象を撮影して得られた実写暗記対象画像を記録する実写暗記対象画像記録手段と、実写暗記対象画像記録手段が記録した実写暗記対象画像の中の所定領域を不可視化する不可視化手段と、不可視化手段が不可視化した領域を、所定の入力情報が入力された場合に可視化する可視化手段とを備えるのであれば、必ずしも本発明の暗記支援プログラムは電子計算機に、分類指示機能やスケジュール機能を付与しなくてもよい。
【００３６】
しかし、分類指示機能やスケジュール機能があれば、暗記レベルに対応させて実写暗記対象画像を分類し、憶えかけの暗記対象を有する実写暗記対象画像を周期的に表示できるので、暗記学習に大切な「反復」を効率良く行なうことができ、好ましい。
【００３７】
また、本発明の暗記支援プログラムが電子計算機に、暗記対象を撮影して得られた実写暗記対象画像を記録する実写暗記対象画像記録機能と、実写暗記対象画像記録機能が記録した実写暗記対象画像の中の所定領域を不可視化する不可視化機能と、不可視化機能が不可視化した領域を、所定の入力情報が入力された場合に可視化する可視化機能とを付与するのであれば、必ずしも本発明の暗記支援プログラムは電子計算機に、暗記対象に関連する暗記対象関連画像を、暗記対象と関連付けて記録する暗記対象関連画像記録機能を付与しなくてもよい。
【００３８】
しかし、暗記対象関連画像記録機能があれば、参考書などをまたいで関連したことを調べたときに、まとめることができるので好ましい。
【００３９】
また、本発明の暗記支援プログラムが電子計算機に、暗記対象を撮影して得られた実写暗記対象画像を記録する実写暗記対象画像記録機能と、実写暗記対象画像記録機能が記録した実写暗記対象画像の中の所定領域を不可視化する不可視化機能と、不可視化機能が不可視化した領域を、所定の入力情報が入力された場合に可視化する可視化機能とを付与するのであれば、必ずしも本発明の暗記支援プログラムは電子計算機に、所望の実写暗記対象画像をしおり登録するしおり登録機能や、しおり登録機能がしおり登録した所望の実写暗記対象画像を読み出す読み出し機能を付与しなくてもよい。
【００４０】
しかし、しおり登録機能や読み出し機能があれば、複数の実写暗記対象画像があり、順番に暗記学習を行なっている途中で暗記学習を切り上げる時に、暗記学習途中の実写暗記対象画像をしおり登録しておいて、次回の暗記学習を開始する際にしおり登録した実写暗記対象画像から再び始めることができるので好ましい。
【００４１】
また、本発明の暗記支援プログラムは、実写暗記対象画像からなるレイヤーと、例えば手書き画像を載せて表示するペイントレイヤーとを結合して、一つの画像レイヤーとする機能も付与することができる。
【００４２】
また、本発明の暗記支援プログラムは、実写暗記対象画像からなるレイヤーに、例えばそれぞれライン画像を表示した複数のライン画像レイヤーを重ねて、重なったレイヤーが画面上から使用者にタッチされるごとにライン画像レイヤーを一つずつ削除する機能も付与することができる。
【００４３】
また、本発明の暗記支援プログラムは、第１の実写暗記対象画像を画面上で分割して、第２の実写暗記対象画像と第３の実写暗記対象画像（または３つ以上の実写暗記対象画像）として保存する機能も付与することができる。
この場合、第２の実写暗記対象画像や第３の実写暗記対象画像も、第１の実写暗記対象画像と同様に、それぞれ分割されることができる。
【００４４】
また、本発明の暗記支援プログラムは、実写暗記対象画像に文字などを加える機能（テキストメモ機能）も付与することができる。
【００４５】
また、本発明の暗記支援プログラムは、実写暗記対象画像を、サーバ上にアップロードしたり、電子メールに添付したりする機能（アップロード機能）も付与することができる。
このような機能により、例えばユーザ自身が作ったノートを撮影して実写暗記対象画像とし、ネット上で友人知人と共有することができる。
また、テキストメモ機能も使って自分が作ったノートを自慢したいというユーザの欲求を刺激することができる。
【００４６】
また、本発明の暗記支援プログラムは、ユーザの声などを録音したり、録音した声を再生したりする機能（録音再生機能）も付与することができる。
このような機能により、例えば、英語の「Ｐｉｃ．１」などと同じように、いくつか録音しておいた語呂合わせの歴史年表の音声を、音声１から満員電車の中で再生してヘッドホンで聴くことができる。そして、音声１を聴き終わると、暗記レベルに応じて画面をこすり、分類してから、次の音声２を自動再生させることができる。
【００４７】
次に、本発明の暗記支援プログラムがインストールされた電子携帯機器を用いた暗記学習の一例を、図を参照しながら説明する。
【００４８】
図２Ａは、本発明の暗記支援プログラムがインストールされた電子携帯機器の画面の一例を示す概略図である。
また、図２Ｂは、本発明の暗記支援プログラムがインストールされた電子携帯機器の画面にタッチして不可視化領域を可視化する操作を説明する概略図である。
また、図３は、実写暗記対象画像が暗記度合いに応じて分類された様子を示す概略図である。
【００４９】
図２Ａ（ａ）に示すように、本発明の暗記支援プログラムがインストールされた電子携帯機器の画面１１に、実写暗記対象画像がそれぞれ入れられた科目別の複数のフォルダアイコン１２を表示させる。
【００５０】
次に、複数のフォルダアイコン１２の中の、英語のフォルダアイコン１２を指でタッチすると、図２Ａ（ｂ）に示すように、それぞれ「Ｐｉｃ．１」から「Ｐｉｃ．９」と題された複数の実写暗記対象画像用アイコン１３が画面１１に表示される。
【００５１】
そして、複数の実写暗記対象画像用アイコン１３の中の「Ｐｉｃ．１」を指でタッチすると、図２Ａ（ｃ）に示すように、不可視化領域１４によって各英単語の訳が隠された実写暗記対象画像５が画面１１に表示される。
【００５２】
このような不可視化領域を有する実写暗記対象画像は、ユーザが、憶えたい箇所を指定して、指定した箇所をタッチペン等で塗りつぶす等することで得られた画像である。
【００５３】
ここで、各英単語の訳が不可視化領域によって隠されているが、例えば逆に、各英単語が不可視化領域によって隠され、各英単語の訳が表示されるようにしてもよいことは勿論である。
【００５４】
さらに、図２Ｂ（ｄ）に示すように、不可視化領域１４を有する実写暗記対象画像５が表示された画面１１を指でタッチすると、図２Ｂ（ｅ）に示すように、不可視化領域が可視化され、各英単語の訳が見えるようになる。
【００５５】
このとき、例えば「まだ完全に憶えていない」という暗記レベルであれば、画面１１を指で１回こすると、本発明の暗記支援プログラムがインストールされた電子携帯機器は、図３（ａ）に示すように、英語の「Ｐｉｃ．１」の実写暗記対象画像を、「英語レベル１」に分類して記録する。
【００５６】
なお、「英語レベル１」に分類して記録された実写暗記対象画像は、不可視化領域を有する状態に戻って記録される。
【００５７】
また、例えば「完全に憶えた」という暗記レベルであれば、画面１１を指で２回こすると、本発明の暗記支援プログラムがインストールされた電子携帯機器は、図３（ｂ）に示すように、英語の「Ｐｉｃ．２」などの実写暗記対象画像を、「英語レベル２」に分類して記録する。
【００５８】
なお、図２Ｂ（ｅ）に示す例では、複数の不可視化領域１４が、一括して可視化されているが、一部の不可視化領域だけを可視化できることは勿論である。例えば、「ｂｏｏｋ」の訳を不可視化した不可視化領域を指でタッチすれば、その不可視化領域だけを可視化させることができる。
【００５９】
また、本発明の暗記支援プログラムは、フォルダの更新日時を記録して古い順や新しい順にフォルダを並び替える機能や、フォルダを横断してフォルダ内の情報を検索する機能を付与することもできる。
【００６０】
図４は、本発明の暗記支援プログラムがインストールされた電子携帯機器の画面にタッチして暗記対象関連画像を表示させる操作を説明する概略図である。
【００６１】
図４（ａ）に示すように、画面１１には、各英単語とその訳に対応する位置に、カメラアイコン１５が表示される。
【００６２】
そして、例えば「ｂｏｏｋ  本」の項目に対応する位置に表示されたカメラアイコン１５を指でタッチすると、本発明の暗記支援プログラムがインストールされた電子携帯機器は、暗記対象に関連する暗記対象関連画像を、暗記対象と関連付けて記録しているので、図４（ｂ）に示すように、暗記対象関連画像１６として本の画像が画面１１に表示される。
【００６３】
図５は、本発明の暗記支援プログラムがインストールされた電子携帯機器の、しおり登録をするときの画面の一例を説明する概略図である。
【００６４】
例えば、ユーザが、英語の「Ｐｉｃ．１」の実写暗記対象画像から順番に英単語の暗記学習を行なっており、英語の「Ｐｉｃ．６」を暗記している途中で暗記学習を止めなければならなくなった場合、図５に示すような、画面１１の左下に表示された「しおり」ボタンを、指でタッチすると、英語の「Ｐｉｃ．６」の実写暗記対象画像が、しおり登録される。
【００６５】
そして、次に暗記学習を再開するときに、しおり登録された英語の「Ｐｉｃ．６」の実写暗記対象画像を読み出す。
【００６６】
以上のように、本発明の暗記支援プログラムは、実写暗記対象画像の中の所定領域を不可視化する不可視化機能によって、暗記対象をわざわざキーボードなどで入力することなく、既存の文字などをそのまま暗記対象として暗記学習に利用することができる。
【００６７】
従って、本発明の暗記支援プログラム、並びに本発明の暗記支援プログラムを記録した記録媒体によって、簡単に暗記学習を始めることができる。
【００６８】
また、分類指示機能やスケジュール機能によって、暗記レベルに対応させて実写暗記対象画像を分類し、憶えかけの暗記対象を有する実写暗記対象画像を周期的に表示できるので、暗記学習に大切な「反復」を効率良く行なうことができる。
【符号の説明】
【００６９】
１    電子携帯機器
２    実写暗記対象画像データベース
３    不可視化手段
４    可視化手段
５    実写暗記対象画像
６    分類指示手段
７    スケジュール手段
８    暗記対象関連画像データベース
９    しおり登録手段
１０    読み出し手段
１１    電子携帯機器の画面
１２    フォルダアイコン
１３    実写暗記対象画像用アイコン
１４    不可視化領域
１５    カメラアイコン
１６    暗記対象関連画像
【図１】
2013171084.tif 000003
【図２Ａ】
2013171084.tif 000004
【図２Ｂ】
2013171084.tif 000005
【図３】
2013171084.tif 000006
【図４】
2013171084.tif 000007
【図５】
2013171084.tif 000008